(57)【要約】【課題】内視鏡の可撓性挿入部に対する外套シースの被脱を、周囲を汚染するおそれなく容易に行うことができる内視鏡用カバー着脱スタンドを提供すること。【解決手段】内視鏡１０の可撓性挿入部１１，１２，１３を載せるための略水平な挿入部載置テーブル４０と、可撓性挿入部１１，１２，１３の基端に連結された操作部１５を保持するために挿入部載置テーブル４０の上方に配置された操作部保持部５０と、可撓性挿入部１１，１２，１３に被脱自在な外套シース２０を包むようにサック状に形成されたシースカバー３０の開口端部３１を広げた状態に保って保持するために、挿入部載置テーブル４０より上方であって操作部保持部５０のほぼ真下の位置に配置されたシースカバー開口端保持部６０とを有する。【選択図】　　　図１
2004081635.tif 000002
【特許請求の範囲】
【請求項１】
内視鏡の可撓性挿入部を載せるための略水平な挿入部載置テーブルと、
上記可撓性挿入部の基端に連結された操作部を保持するために上記挿入部載置テーブルの上方に配置された操作部保持部と、
上記可撓性挿入部に被脱自在な外套シースを包むようにサック状に形成されたシースカバーの開口端部を広げた状態に保って保持するために、上記挿入部載置テーブルより上方であって上記操作部保持部のほぼ真下の位置に配置されたシースカバー開口端保持部と
を有することを特徴とする内視鏡用外套シース着脱スタンド。
【請求項２】
上記操作部保持部と上記シースカバー開口端保持部とが、上記挿入部載置テーブルから上方に立設された支柱に取り付けられている請求項１記載の内視鏡用外套シース着脱スタンド。
【請求項３】
上記シースカバーの開口端部を広げた状態に保つように上記シースカバーの開口端部と係合する複数の係合ピンが、上記シースカバー開口端保持部に突設されている請求項１又は２記載の内視鏡用外套シース着脱スタンド。
【請求項４】
上記シースカバーの開口端部が漏斗状に広がった形状に形成されている請求項１、２又は３記載の内視鏡用外套シース着脱スタンド。
【請求項５】
上記外套シースが、上記シースカバー内に係脱自在に保持される請求項１、２、３又は４記載の内視鏡用外套シース着脱スタンド。
【発明の詳細な説明】
【０００１】
【発明の属する技術分野】
この発明は、内視鏡の挿入部の汚染を防止するための外套シースを挿入部に被脱する際に用いられる内視鏡用外套シース着脱スタンドに関する。
【０００２】
【従来の技術】
内視鏡検査において内視鏡を介して患者間感染が発生しないようにするためには、内視鏡の可撓性挿入部に外套シースを被覆して、その外套シースを内視鏡検査一回毎に取り替えるようにすればよい。
【０００３】
そこで従来は、可撓性挿入部に外套シースを被脱する際に内視鏡全体を水平に保持しておくためのスタンド装置を用いたり（特開平５−４９５９２号、特開平８−３８４１５号等）、内視鏡の操作部を吊り下げるスタンドを設けて、その斜め下方に内視鏡の可撓性挿入部を保持するためのケースを配置していた（特開平８−３０８７８４号）。
【０００４】
【発明が解決しようとする課題】
外套シースにより内視鏡の可撓性挿入部の汚染を防止することができても、外套シースを被脱する作業があまりに煩雑だったり、外套シースを内視鏡から取り外す際に外套シースに付着している汚液で周囲を汚染してしまうようでは意味がない。
【０００５】
しかし、内視鏡全体を水平に保持するだけの従来のスタンド装置では、スタンド装置の汚染防止のためにスタンド装置自体にもカバーを掛けたり外したりする必要があるなど操作が面倒である。
【０００６】
また、操作部を吊り下げるスタンドの斜め下方に可撓性挿入部を保持するためのケースを配置したものでは、内視鏡検査終了直後に操作部をスタンドに吊るした時に、可撓性挿入部に被覆されている外套シースに付着している汚液がその下方の床面に滴り落ちて、床面を汚染してしまう恐れがある。
【０００７】
そこで本発明は、内視鏡の可撓性挿入部に対する外套シースの被脱を、周囲を汚染するおそれなく容易に行うことができる内視鏡用外套シース着脱スタンドを提供することを目的とする。
【０００８】
【課題を解決するための手段】
上記の目的を達成するため、本発明の内視鏡用外套シース着脱スタンドは、内視鏡の可撓性挿入部を載せるための略水平な挿入部載置テーブルと、可撓性挿入部の基端に連結された操作部を保持するために挿入部載置テーブルの上方に配置された操作部保持部と、可撓性挿入部に被脱自在な外套シースを包むようにサック状に形成されたシースカバーの開口端部を広げた状態に保って保持するために、挿入部載置テーブルより上方であって操作部保持部のほぼ真下の位置に配置されたシースカバー開口端保持部とを有するものである。
【０００９】
なお、操作部保持部とシースカバー開口端保持部とが、挿入部載置テーブルから上方に立設された支柱に取り付けられていてもよく、シースカバーの開口端部を広げた状態に保つようにシースカバーの開口端部と係合する複数の係合ピンが、シースカバー開口端保持部に突設されていてもよい。
【００１０】
また、シースカバーの開口端部が漏斗状に広がった形状に形成されているとよく、外套シースが、シースカバー内に係脱自在に保持されるようにするとよい。
【００１１】
【発明の実施の形態】
図面を参照して本発明の実施例を説明する。
図２において、１０は内視鏡、２０は、内視鏡検査時に内視鏡１０の可撓性挿入部１１，１２，１３を外部環境から絶縁するために可撓性挿入部１１，１２，１３に着脱自在に被覆される外套シース、３０は、主に外套シース２０を可撓性挿入部１１，１２，１３から取り外す際に外套シース２０を包み込むためのシースカバーである。
【００１２】
内視鏡１０の可撓性挿入部１１，１２，１３は、遠隔操作によって屈曲する湾曲部１２が細長い可撓管部１１の先端に連結され、観察窓１４等が先端面に配置された先端部本体１３が湾曲部１２の先端に連結されて構成されている。１５は、可撓管部１１の基端に連結された操作部、１６はライトガイドケーブルである。
【００１３】
可撓管部１１の基端部分を囲むように、弾力性のある材料により外径が先細りのテーパ筒状に形成された折れ止めゴム１００が取り付けられている。折れ止めゴム１００は先側へ漸次肉厚を薄くしたテーパ筒状に形成されている。また、折れ止めゴム１００の先端部分には、後述する外套シース２０の基端口金２４を係脱自在な周状溝１０１が形成されている。
【００１４】
外套シース２０には、例えばシリコンゴムチューブ等のような伸縮性のある材料によって薄肉円筒状に形成された被覆チューブ２１が、内視鏡１０の可撓管部１１と湾曲部１２に着脱自在に被覆されるように設けられ、その先端には透明な部材により形成されて先端部本体１３部分に被嵌される先端キャップ２２が水密に取り付けられている。
【００１５】
被覆チューブ２１の基端には短筒状の基端口金２４が取り付けられていて、基端口金２４から内方に突出形成された周状突起２５が、内視鏡１０の折れ止めゴム１００の先端部分に形成された周状溝１０１に対して係脱自在になっていて、周状突起２５を周状溝１０１に係止することにより、可撓性挿入部１１，１２，１３を外套シース２０で被覆した状態で内視鏡検査を行うことができる。
【００１６】
シースカバー３０は、例えばポリエチレン樹脂、ポリプロピレン樹脂、ポリウレタン樹脂又はポリエステル樹脂等によって、先端が塞がった薄くて柔軟なサック状に形成され、基端口金２４の外周面に軽く密着する程度の径に形成されて、外套シース２０の被覆チューブ２１に対して緩く被覆することができる。
【００１７】
そして、シースカバー３０の開口端部３１は漏斗状（又はラッパ状）に広がった形状に形成されていて、その縁部近傍には複数（例えば３個）の止め穴３２が等間隔に穿設されている。
【００１８】
図３は、内視鏡１０に外套シース２０を被脱する際に用いられる内視鏡用外套シース着脱スタンドを示しており、内視鏡１０の可撓性挿入部１１，１２，１３を載せるための長方形状の挿入部載置テーブル４０が４本の脚４１上に略水平に支持されて、その挿入部載置テーブル４０の長手方向の一端側の近傍から上方に支柱４２が立設されている。
【００１９】
支柱４２の上端には、内視鏡１０の操作部１５を保持するための操作部保持部５０が取り付けられている。操作部保持部５０は、支柱４２から側方（挿入部載置テーブル４０の中央の方向）に向けて突出する操作部保持板５１に、操作部１５を落下しないように嵌め込むための略コの字状の孔からなる操作部保持溝５２が形成された構成になっている。５３は、ライトガイドケーブル１６を保持するためのライトガイドケーブル受けである。
【００２０】
支柱４２の中間部分には、シースカバー３０の開口端部３１を広げた状態に保って保持するためのシースカバー開口端保持部６０が、操作部保持部５０のほぼ真下に位置するように取り付けられている。
【００２１】
シースカバー開口端保持部６０は、突端側が開放された馬蹄形状に形成されたシースカバー開口端保持板６１が、操作部保持部５０の操作部保持板５１と挿入部載置テーブル４０との間に位置するように支柱４２から側方に突出していて、シースカバー３０の止め穴３２を係合させるための複数の止めピン６２がシースカバー開口端保持板６１から上向きに突設された構成になっている。
【００２２】
このような内視鏡用外套シース着脱スタンドを用いて外套シース２０を内視鏡１０の可撓性挿入部１１，１２，１３に被覆するには、まず図４に示されるように、内視鏡１０の操作部１５を操作部保持部５０に保持して、操作部１５から垂れ下がった可撓性挿入部１１，１２，１３を挿入部載置テーブル４０上に載せ、図５に示されるように、外套シース２０を基端口金２４側から可撓性挿入部１１，１２，１３に被せていく。
【００２３】
外套シース２０が可撓性挿入部１１，１２，１３に完全に被さったら、図２を参照して説明した基端口金２４の周状突起２５を内視鏡１０の周状溝１０１に係止して、基端口金２４が内視鏡１０に固定された状態にする。
【００２４】
そして、図１に示されるように、シースカバー３０をその開口端部３１側から外套シース２０に被覆して三つの止め穴３２を各々シースカバー開口端保持部６０の止めピン６２に引っ掛けることにより、シースカバー３０の開口端部３１を広げた状態に保ってシースカバー開口端保持部６０に保持する。
【００２５】
これによって、内視鏡検査前に内視鏡１０に外套シース２０を取り付ける準備が完了し、内視鏡検査の直前までこの状態にしておけば、外套シース２０が周囲から汚されるのを防止することができる。
【００２６】
内視鏡検査を行う際には、図６に示されるように、操作部１５を操作部保持部５０から外して、外套シース２０が被覆された状態の可撓性挿入部１１，１２，１３をシースカバー３０から引き出せばよい。
【００２７】
その結果、内視鏡検査が行われている最中は、図７に示されるように、シースカバー開口端保持部６０に開口端部３１が保持されたシースカバー３０が挿入部載置テーブル４０上に横たわった状態に残される。
【００２８】
内視鏡検査が終了したら、上記と逆の操作により、図６に示されるように、外套シース２０が被覆された状態の可撓性挿入部１１，１２，１３をシースカバー３０内に差し込む。
【００２９】
シースカバー３０の開口端部３１が漏斗状に広がっているので、その差し込みは周囲を汚すことなく容易に行うことができ、図１に示されるように、操作部保持部５０に操作部１５を保持して外套シース２０がシースカバー３０で包まれた状態に戻す。
【００３０】
その間、シースカバー３０の開口端部３１が操作部保持部５０のほぼ真下に位置していることにより、外套シース２０から汚液が滴り落ちてもシースカバー３０の開口端部３１内に落下するので、挿入部載置テーブル４０等が汚されない。
【００３１】
そして、外套シース２０を交換する際には、図８に示されるように、シースカバー３０の外側から外套シース２０の基端口金２４を摘んで周状突起２５と内視鏡１０の周状溝１０１との係合を外し、可撓性挿入部１１，１２，１３から外套シース２０を取り外す。
【００３２】
そのようにすることによって、外套シース２０の表面に付着している汚液等は全てシースカバー３０内に封じ込まれ、周囲を汚染することなく外套シース２０を交換することができる。
【００３３】
なお、本発明は上記実施例に限定されるものではなく、例えば図９に示されるように、シースカバー開口端保持部６０の止めピン６２をシースカバー開口端保持板６１から下向きに突設して、シースカバー３０の開口端部３１がシースカバー開口端保持板６１の外縁から裏側に回り込むようにしてもよく、そのようにすることによりシースカバー開口端保持部６０の汚染防止を確実にすることができる。
【００３４】
【発明の効果】
本発明によれば、サック状に形成されたシースカバーの開口端部を広げた状態に保って保持するためのシースカバー開口端保持部を、挿入部載置テーブルより上方であって操作部保持部のほぼ真下の位置に配置したことにより、内視鏡の可撓性挿入部に対する外套シースの被脱を、周囲を汚染するおそれなく衛生的に容易に行うことができる。
【図面の簡単な説明】
【図１】本発明の第１の実施例の内視鏡用外套シース着脱スタンドの使用状態の斜視図である。
【図２】本発明の第１の実施例に用いられる内視鏡と外套シースとシースカバーの一部を断面で示す側面図である。
【図３】本発明の第１の実施例の内視鏡用外套シース着脱スタンドの斜視図である。
【図４】本発明の第１の実施例の内視鏡用外套シース着脱スタンドの使用状態の斜視図である。
【図５】本発明の第１の実施例の内視鏡用外套シース着脱スタンドの使用状態の斜視図である。
【図６】本発明の第１の実施例の内視鏡用外套シース着脱スタンドの使用状態の斜視図である。
【図７】本発明の第１の実施例の内視鏡用外套シース着脱スタンドの使用状態の斜視図である。
【図８】本発明の第１の実施例の外套シースをシースカバーで包んだ状態の基端部分付近の側面断面図である。
【図９】本発明の第２の実施例のシースカバーがシースカバー開口端保持部に保持された状態の部分断面図である。
【符号の説明】
１０　内視鏡
１１　可撓管部（可撓性挿入部）
１２　湾曲部（可撓性挿入部）
１３　先端部本体（可撓性挿入部）
１５　操作部
２０　外套シース
２１　被覆チューブ
２４　基端口金
２５　周状突起
３０　シースカバー
３１　開口端部
３２　止め穴
４０　挿入部載置テーブル
４２　支柱
５０　操作部保持部
５１　操作部保持板
５２　操作部保持溝
６０　シースカバー開口端保持部
６１　シースカバー開口端保持板
６２　止めピン
【図１】
2004081635.tif 000003
【図２】
2004081635.tif 000004
【図３】
2004081635.tif 000005
【図４】
2004081635.tif 000006
【図５】
2004081635.tif 000007
【図６】
2004081635.tif 000008
【図７】
2004081635.tif 000009
【図８】
2004081635.tif 000010
【図９】
2004081635.tif 000011